(57)【特許請求の範囲】
【請求項１】
カメラヘッドと、前記カメラヘッドを制御するカメラコントロールユニットと、前記カメラヘッドと前記カメラコントロールユニットを接続するケーブルを有するテレビジョンカメラ装置において、
前記カメラヘッドは、ユーティリティ電源を出力する手段、リターン映像出力手段、及びプロンプト出力手段を備え、
前記カメラコントロールユニットは、前記テレビジョンカメラ装置が使用する電力を検出する検出手段を備え、
前記カメラヘッドは、前記検出手段によって検出された前記電力と前記ユーティリティ電源が出力可能な電力を表示する出力手段を備えたことを特徴とするテレビジョンカメラ装置。
【請求項２】
請求項１記載のテレビジョンカメラ装置において、前記ユーティリティ電源を出力する機器に優先順位を付け、前記カメラコントロールユニットは、前記検出手段により検出した値と予め定めた値とを比較し、前記検出した値が前記予め定めた値以上になった場合には、前記優先順位に応じて、前記カメラヘッドのユーティリティ電源の出力を使用する機器の機能を制限することを特徴とするテレビジョンカメラ装置。
【請求項３】
請求項１記載のテレビジョンカメラ装置において、前記カメラコントロールユニットは、前記検出手段により検出した値を用いて、前記カメラヘッドのユーティリティ電源の使用電力値を表示することを特徴とするテレビジョンカメラ装置。
【発明の詳細な説明】
【技術分野】
【０００１】
本発明は、テレビジョンカメラ装置に関わり、特に、運用性の向上のために運常時の状態を表示するテレビジョンカメラ装置に関する。
【背景技術】
【０００２】
従来は、光の送受信の表示は、カメラコントロールユニット（ＣＣＵ）の筐体前面で表示を行っていた。しかし、カメラコントロールユニットは、サーバ等と一緒にラックに収納されて据え付けられるのが一般的である。ラックに収納された場合には、カメラコントロールユニットの筐体前面を見ることができない。
従って、運用時、光の送受信のためのケーブルに不具合が発生し、光の送受信に異常をきたしても、すぐに確認するのが困難であった。
【０００３】
また、カメラヘッド側においては、ユーティリティ用として、電源を出力している。このユーティリティとして使用可能な電力の残量については、使用者は簡単に調べることができなかった。
【先行技術文献】
【特許文献】
【０００４】
【特許文献１】特開２００９−１０６３５号公報
【発明の概要】
【発明が解決しようとする課題】
【０００５】
特許文献１には、ＦＰＵ（Field Pickup Unit）受信基地局において、送信局側から送信されるマイクロ波を、回転受信アンテナをパソコン操作して方向調整する。回転受信アンテナの方向調整を行うオペレータの習熟度の必要性を軽減するために、映像信号でデジタル変調された電波の遅延プロファイル波形を映像としてパソコン画面上に、遅延プロファイルレベルメータとして表示する遠隔監視制御装置が開示されている。しかし、テレビジョンカメラ装置における運用性の向上を目的として、カメラヘッド側のユーティリティや、他の機能についての表示は、従来実現していなかった。
【０００６】
本発明のテレビジョンカメラ装置は、光の送受信レベル、またユーティリティの使用可能な電力残量等の表示を行い、表示を視認することによって、利用者が容易に判断することができるようにして、テレビジョンカメラ装置の運用性を向上することを目的とする。
さらに、有限なエネルギ資源であるユーティリティ電力を有効に使用するために、ユーティリティ電力の残量に応じて使用電力に制限を加えるためことを目的とする。
【課題を解決するための手段】
【０００７】
上記の目的を達成するために、本発明のテレビジョンカメラ装置は、光の送受信の検出、ユーティリティ使用時の電力を常時を検出するための電流検出、それらの状態を表示する表示手段を用い、利用者の運用を向上することを目的とする。
【０００８】
上記の目的を達成するために、本発明のテレビジョンカメラ装置は、カメラヘッドと、前記カメラヘッドを制御するカメラコントロールユニットと、前記カメラヘッドと前記カメラコントロールユニットを接続するケーブルを有するテレビジョンカメラ装置において、前記カメラヘッドは、ユーティリティ電源を出力する手段、リターン映像出力手段、及びプロンプト出力手段を備え、前記カメラコントロールユニットは、前記テレビジョンカメラ装置が使用する電力を検出する検出手段を備え、前記カメラヘッドは、前記検出手段によって検出された前記電力と前記ユーティリティ電源が出力可能な電力を表示する出力手段を備えたことを第１の特徴とする。
【０００９】
上記本発明の第１の特徴のテレビジョンカメラ装置において、前記ユーティリティ電源を出力する機器に優先順位を付け、前記カメラコントロールユニットは、前記検出手段により検出した値と予め定めた値とを比較し、前記検出した値が前記予め定めた値以上になった場合には、前記優先順位に応じて、前記カメラヘッドのユーティリティ電源の出力を使用する機器の機能を制限することを本発明の第２の特徴とする。
【００１０】
上記本発明の第１の特徴のテレビジョンカメラ装置において、前記カメラコントロールユニットは、前記検出手段により検出した値を用いて、前記カメラヘッドのユーティリティ電源の使用電力値を表示することを本発明の第３の特徴とする。
【発明の効果】
【００１１】
本発明によれば、光の送受信レベル、またユーティリティの使用可能な電力残量等の表示を行い、表示を視認することによって、利用者が容易に判断することができるため、テレビジョンカメラ装置の運用性が向上する。
さらに、ユーティリティ電力を有効に使用するために、接続する機器を制御して、接続する機器の機能を制限する。この結果、ユーティリティ電力の残量または使用量に応じて使用電力に制限を加えることができる。
【図面の簡単な説明】
【００１２】
【図１】本発明のテレビジョンカメラ装置の一実施例の構成を示すブロック図である。
【図２】本発明のテレビジョンカメラ装置のＣＣＵの一実施例の構成を示すブロック図である。
【図３】本発明のテレビジョンカメラ装置のカメラヘッドの一実施例の構成を示すブロック図である。
【図４】本発明のテレビジョンカメラ装置の一実施例において、ユーティリティ電源の消費電力と検出電圧との関係を実測した値と、近似式とを示した図である。
【図５】本発明のテレビジョンカメラ装置の一実施例において、カメラヘッド及びＣＣＵの消費電力と検出電圧との関係を実測した値と、近似式とを示した図である。
【図６】本発明のテレビジョンカメラ装置の一実施例において、ビューファインダ１２０の表示画面に表示されたユーティリティ電源の使用量に関するデータの一例である。
【図７】本発明のテレビジョンカメラ装置の一実施例において、ビューファインダ１２０の表示画面に表示されたユーティリティ電源の使用量に関するデータの一例である。
【図８】図７の表示例における表示色を説明するための図である。
【発明を実施するための形態】
【００１３】
以下に本発明の一実施形態を図面等を用いて説明する。なお、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
また、各図の説明において、同一の機能を有する構成要素には同一の参照番号を付し、重複を避け、できるだけ説明を省略する。
【実施例１】
【００１４】
図１〜図８を用いて、本発明のテレビジョンカメラ装置の第１の実施例について説明する。
【００１５】
図１は、本発明のテレビジョンカメラ装置の一実施例の構成を示すブロック図である。１００は本発明の一実施例のテレビジョンカメラ装置、１１０はテレビジョンカメラ装置１００のカメラヘッド、１２０はビューファインダ（ＶＦ）、１６０はテレビジョンカメラ装置１００のＣＣＵ、１８０は光複合ケーブルである。ここで、光複合ケーブル１８０は、カメラヘッド１１０およびＣＣＵ１６０間を結合し、カメラヘッド１１０およびＣＣＵ１６０間で通信を行い、映像信号（音声信号を含む）、インカム通話、カメラヘッドへの電源供給などを行うテレビジョンカメラ装置用の光複合ケーブルである。また、１１１はユーティリティ電源が出力されるユーティリティ電源出力端子、１１２はＳＤＩ信号が出力されるＳＤＩ出力端子、１１３はリターン映像信号が出力されるリターン出力端子、１１４はプロンプトが出力されるプロンプト出力端子、１１５はビューファインダ出力映像信号が出力されるビューファインダ出力（ＶＦ＿ＯＵＴ）端子、１１６はカメラマンがカメラヘッドを操作パネル等から操作入力した場合の制御信号入力端子、１６１はＡＣ１００Ｖの電源が入力されるＡＣ電源入力端子、１６２はＣＣＵ１６０及びカメラヘッド１１０を制御するための制御信号が入力される制御信号入力端子、１６３はリターン映像を入力するためのリターン入力端子、１６４はプロンプト映像が入力されるプロンプト入力端子、１６５は映像信号が出力される映像出力端子、１６６は同期信号が入力されるゲンロック（ＧＬ：Generator Lock）信号入力端子、１８１と１８６は光複合ケーブル接続端子である。テレビジョンカメラ装置は、例えば、映画撮影用の高画素３板式カラーカメラである。制御信号入力端子１６２は、例えば、ＲＳ４８５、ＲＳ４２２等のインタフェースで接続される。
制御信号入力端子１６２には、スタッフが操作器を使って制御信号を入力する。
図１では、カメラヘッド１１０がテレビスタジオ１００内に設置され、ＣＣＵ１６０が副調整室に設置されている場合について説明する。
【００１６】
図１において、テレビスタジオ内では、ＶＦ１２０を取り付けたカメラヘッド１１０が設置され、カメラマンがこのカメラヘッド１１０およびＶＦ１２０を操作する。また、副調整室には、このカメラヘッド１１０に対応するＣＣＵ１６０が設置されており、これらカメラヘッド１１０とＣＣＵ１６０間は、光複合ケーブル接続端子１８１及び１８６を介して光複合ケーブル１８０で結合している。
カメラヘッド１１０は、テレビスタジオ内で所望の被写体を撮影している。カメラヘッド１１０は、撮影した映像を、光複合ケーブル１８０を介して、副調整室のＣＣＵ１６０に伝送する。
【００１７】
副調整室内には、ＣＣＵ１６０が設置され、副調整室内のスタッフは、図示しないＣＣＵ１６０の操作部を操作することによって光複合ケーブル１８０を介してカメラヘッド１１０を制御し、カメラヘッド１１０が撮影する映像の画質を調整する。また、ＣＣＵ１６０は、光複合ケーブル１８０を介して、テレビスタジオ内のカメラヘッド１１０に電源を供給する。
例えば、副調整室内のスタッフは、テレビスタジオ内のカメラヘッド１１０から伝送されてくる映像を図示しないモニタで確認する。そしてスタッフは、テレビスタジオ内のカメラマン等にインカム等で調整の指示を送る。また、スタッフは、ＣＣＵ１６０、光複合ケーブル１８０、およびカメラヘッド１１０を介して、ＶＦ１２０の表示部に伝送するリターン映像及びプロンプト信号を送信する。さらに、スタッフは、ＣＣＵ１６０および光複合ケーブル１８０を介して、直接カメラヘッド１１０を制御することも可能である。
【００１８】
次に、図２と図３によって、本発明のテレビジョンカメラ装置を更に説明する。図２は、図１のテレビジョンカメラ装置１００のＣＣＵ１６０の一実施例の構成を示すブロック図である。図３は、図１のテレビジョンカメラ装置１００のカメラヘッド１１０の一実施例の構成を示すブロック図である。３は電源スイッチ（PWR SW）、４はトランス、５はリレースイッチ（RLY SW）、６はカレントトランス、７と２４はＡＣ／ＤＣコンバータ、８はＤＣ／ＤＣコンバータ、９は整流回路、１０はリレーコントローラ（RLY CNT）、１１は過電流検出回路、１２は無電流検出回路、１３はＣＣＵ１６０内の各機器を制御するＣＰＵ（Central Processing Unit）、１４と２３は映像処理部・制御処理部、１５はＧＬ信号入力端子１６６から入力されるゲンロック信号から同期信号を抽出し映像処理部・制御処理部１４に出力するシンクセパレータ、１６はＡＤＣ（Analog to Digital Converter）、１７と２２はＯＥ（光−電気）・ＥＯ（電気−光）変換部、２１はＡＣ／ＤＣコンバータ、２５は撮像素子ブロック、２６は光学レンズ系、２７はカメラヘッド１１０内の各機器を制御するＣＰＵである。撮像素子ブロック２５は、撮像素子として、例えば、ＣＣＤ（Charge Coupled Device）撮像素子を使用する。
【００１９】
図２及び図３において、ＣＣＵ１６０の電源スイッチ３がスタッフ等の操作によってオフからオンになると、ＡＣ電源入力端子１６１から、ＡＣ１００Ｖの電源がＣＣＵ１６０に投入される。投入された電源は、トランス４及びＡＣ／ＤＣコンバータ７に供給される。ＡＣ／ＤＣコンバータ７は、供給されたＡＣ電源電流を所定の電圧（例えば、１２Ｖ）のＤＣ電流に変換してＤＣ／ＤＣコンバータ８に供給する。ＤＣ／ＤＣコンバータ８は供給されたＤＣ電源の電圧を所定の電圧（例えば、１２Ｖ、５Ｖ等）に変換して、対応するＣＣＵ１６０の内部機器に供給する。
またトランス４は、供給されたＡＣ１００Ｖの商用電源の電圧をＡＣ２３０Ｖに変換してリレースイッチ５とカレントトランス６に出力する。
リレースイッチ５は、供給されたＡＣ２３０Ｖの電源を、リレーコントローラ１０の制御に応じてオンまたはオフに設定し、オン時にはＡＣ２３０Ｖの電源を光複合ケーブル接続端子１８６に供給する。光複合ケーブル接続端子１８６に供給された電源は、光複合ケーブル１８０を介して、カメラヘッド１１０の光複合ケーブル接続端子１８１に供給される。
カレントトランス６は、電流測定するために分流した電流を電流整流回路９に出力する。
【００２０】
また、カメラヘッド１１０では、ＣＣＵ１６０より光複合ケーブル接続端子１８１に供給された電源（ＡＣ２３０Ｖ）は、ＡＣ／ＤＣコンバータ２１に供給される。ＡＣ／ＤＣコンバータ２１は、供給された電源を所定の電圧（例えば、１２Ｖ）のＤＣ電流に変換してＤＣ／ＤＣコンバータ２４に供給する。ＤＣ／ＤＣコンバータ２４は供給されたＤＣ電源の電圧を所定の電圧（例えば、１２Ｖ、５Ｖ等）に変換して、対応するカメラヘッド１１０の内部機器に内部電源として供給する。
さらに、光複合ケーブル接続端子１８１に供給された電源（ＡＣ２３０Ｖ）は、カメラヘッド１１０の内部電源として使用する電源とは別に、使用者（カメラマン等）が自由に使用可能なユーティリティ電源として、ユーティリティ電源出力端子１１１に出力される。
ユーティリティ電源は、例えば、当該カメラヘッド１１０に付属する機器の電源として使用されることが多い。例えば、当該カメラヘッドを搭載してパン若しくはチルトする雲台の電源、リターン映像をモニタするためのフロアモニタの電源、プロンプタの電源、等である。
このユーティリティ電源の使用率は、従来は、顧客側では知ることができていなかった。従って、カメラマン等の使用者は、ユーティリティ電源が現時点でどのくらい使用されているか分からなかった。そこで、本発明の一実施例では、このユーティリティ電源の使用量が一目でカメラヘッド１１０を操作するカメラマン等のユーザに分かるように、ＶＦ１２０に表示する等、使用量のデータを出力可能としている。
【００２１】
以下、その実施例を、図２及び図３によって説明する。
図３のカメラヘッド１１０では、光学レンズ系２６を通って入射する被写体像を撮像素子ブロック２５が撮像して電気信号に変換して映像信号として映像処理部・制御信号処理部２３に出力する。映像処理部・制御信号処理部２３は、入力された映像信号に所定の映像処理を施してＯＥ・ＥＯ変換部２２に出力する。また、ＣＰＵ２７の制御により、ビューファインダ出力端子１１５にも出力する。ビューファインダ出力端子１１５には、ビューファインダ１２０が接続され、これにより、カメラマンは撮像した映像を閲覧することができる。
ＯＥ・ＥＯ変換部２２は、映像処理部・制御信号処理部２３から入力された映像信号を光信号に変換して光複合ケーブル接続端子１８１及び光複合ケーブル１８０を介してＣＣＵ１６０に出力する。
【００２２】
ＣＣＵ１６０では、光複合ケーブル接続端子１８６がカメラヘッド１１０から送られた映像信号を受信し、ＯＥ・ＥＯ変換部１７に出力する。ＯＥ・ＥＯ変換部１７は、光複合ケーブル接続端子１８６から入力された映像信号を光信号に変換して映像処理部・制御信号処理部１４に出力する。映像処理部・制御信号処理部１４は、入力された映像信号に所定の映像処理を施して映像出力端子１６５に出力する。映像出力端子１６５には、モニタが接続されることにより、出力された映像を閲覧することができる。
【００２３】
また、ＣＣＵ１６０では、映像処理部・制御信号処理部１４は、他のテレビジョンカメラ装置が撮像した映像等の外部から（図示しない）入力された映像信号、または、当該カメラヘッド１１０が撮像し、映像処理部・制御信号処理部１４が映像処理した映像の映像信号を、ＯＥ・ＥＯ変換部１７、光複合ケーブル接続端子１８６、及び、光複合ケーブル１８０を介してカメラヘッド１１０に出力する。
カメラヘッド１１０では、映像処理部・制御信号処理部２３は、光複合ケーブル接続端子１８１、ＯＥ・ＥＯ変換部２２を介して、ＣＣＵ１６０から送られた上記映像信号を映像処理してリターン出力端子１１３に出力する。リターン出力端子１１３には、例えば、フロアモニタが接続され、リターン映像が表示される。
同様に、ＣＣＵ１６０から出力されたプロンプト信号が、カメラヘッド１１０の映像処理部・制御信号処理部２３からプロンプト出力端子１１４に出力される。プロンプト出力端子１１４には、プロンプタが接続され、プロンプト出力端子１１４からのプロンプトが表示される。
【００２４】
図２のＣＣＵ１６０において、カレントトランス６を使用してトランス４の出力電流を分流し、電流整流回路９は、入力された電圧を整流して整流した電圧値を、過電流検出回路１１と無電流検出回路１２に出力する。過電流検出回路１１は、入力された整流電圧が所定の電圧以上ならば過電流（ケーブルショート）と判定し、リレーコントローラ１０にオフ信号を出力する。また、無電流検出回路１２は、入力された整流電圧が所定の電圧未満ならば無電流（ケーブルオープン）と判定し、リレーコントローラ１０にオフ信号を出力する。
リレーコントローラ１０は、過電流検出回路１１または無電流検出回路１２の少なくともいずれかからオフ信号が入力された場合に、リレースイッチ５をオフ（遮断）して、電源保護を行っている。
以上述べたように、本発明では、カメラヘッド１１０に供給している電流を監視して、所定の電圧以上ならば過電流（ケーブルショート）、未満ならば無電流（ケーブルオープン）と判定し、電源保護を行っている。
【００２５】
整流回路９は、また、この電圧値をＡＤＣ１６にも出力する。同様に、過電流検出回路１１は、過電流であるか否かの判定結果をＡＤＣ１６にも出力し、無電流検出回路１２は、無電流であるか否かの判定結果をＡＤＣ１６にも出力する。
ＡＤＣ１６は、入力された電圧値及びそれらの判定結果をデジタル値に変換して映像処理部・制御処理部１４に出力する。映像処理部・制御処理部１４は、ＣＰＵ１３にこのデジタル値を出力する。
例えば、ＡＤＣ１６で読み込んだ値を用い、現状のカメラヘッド１１０及びＣＣＵ１６０の電力使用量、及びユーティリティ電源の電力使用量の表示データを映像出力として出力する。
例えば、検出電圧をＸ［単位：Ｖ］としたとき、ユーティリティ電源の電力使用量Ｙ［単位：ＶＡ］は、実測結果（図４及び図５参照）から、下記の式（１）となる。
Ｙ＝８９．６８１Ｘ−４５．４０６       ・・・式（１）
最大使用可能値を１９１ＶＡとしたときの現在の使用値を画面に表示する。（図１、３）
【００２６】
ＣＰＵ１３は、映像処理部・制御処理部１４から入力された電圧値が、エラー（過電流または無電流）であるか否かを判定し、エラーである場合には、映像処理部・制御処理部１４を制御して、映像出力端子１６５を介してエラー表示を行っている。また好ましくは、エラーでない場合にも、映像出力端子１６５を介してエラーではないことの表示を行っている。
さらに、ＣＰＵ１３は、映像処理部・制御処理部１４を制御して、カメラヘッド１１０から、ユーティリティ電源の使用量に関する表示データを、ＯＥ・ＥＯ変換部１７に出力させる。
ＯＥ・ＥＯ変換部１７は、入力された表示データを光信号に変換して光複合ケーブル接続端子１８６及び光複合ケーブル１８０を介して、カメラヘッド１１０の光複合ケーブル接続端子１８１に出力する。
【００２７】
カメラヘッド１１０の光複合ケーブル接続端子１８１は、入力された表示データをＯＥ・ＥＯ変換部２２に出力する。ＯＥ・ＥＯ変換部２２は、入力された表示データを電気信号に変換して映像処理部・制御処理部２３に出力する。
映像処理部・制御処理部２３は、入力された表示データをビューファインダ出力端子１１５に出力する。その結果、ビューファインダ出力端子１１５に接続されたビューファインダ１２０には、ユーティリティ電源の使用量に関するデータが表示される。
【００２８】
図６は、ビューファインダ１２０の表示画面に表示されたユーティリティ電源の使用量に関するデータの一実施例である。
ビューファインダ１２０の表示画面に表示される表示６００には、予め定めた許容電力範囲を示す許容領域６１１、予め定めた警告電力範囲を示す警告領域６１２、及び予め定めた限界電力範囲を示す限界領域６１３とからなる使用可能電力全体を示す棒グラフ６１０がまず表示され、この棒グラフ６１０に、最小電力値のテキスト表示６２１、現在の電力のテキスト表示６２２及び現在の電力の位置を示す指針図形６２０、これ以上は警告電力範囲であることを示すテキスト表示６２３、これ以上は限界電力範囲であることを示すテキスト表示６２４、そして最大電力値を示すテキスト表示６２５が示される。
【００２９】
図７は、ビューファインダ１２０の表示画面に表示されたユーティリティ電源の使用量に関するデータの一実施例である。
ビューファインダ１２０の表示画面に表示される表示６００には、“ＵＴＩＬＩＴＹ  ＰＷＲ”の表示７０２として現在のユーティリティ電源の電力値を“１１１ＶＡ”と表示して、図６で説明した表示６００を行う。
また、その他に、以下の表示を行う。
【００３０】
まず、“ＯＰＴ  ＬＥＶＥＬ”の表示７０１は、カメラヘッド１１０とＣＣＵ１６０それぞれについての受信レベルを表示する。
例えば、カメラヘッド１１０の受信レベルが棒グラフ７１０として示され、ＣＣＵ１６０の受信レベルが棒グラフ７２０として示されている。ここで、棒グラフ７１０及び７２０において、棒全体が最大受信レベルで、斜線で塗りつぶした領域７１１及び７２１が、受信レベルを示している。
受信レベル７１１及び７２１の表示色は、例えば、図８に示すように、（ａ）は受信レベルＲが−３ｄＢｍ≧Ｒ＞−８ｄＢｍを示し（領域８１の塗りつぶしの色は、安全を表す緑色）、（ｂ）は受信レベルが−８ｄＢｍ≧Ｒ＞−１１ｄＢｍを示し（領域８２の塗りつぶしの色は、安全を表す緑色）、（ｃ）は受信レベルが−１１ｄＢｍ≧Ｒ＞−１４ｄＢｍを示し（領域８３の塗りつぶしの色は、警告を表す黄色）、（ｄ）は受信レベルが−１４ｄＢｍ≧Ｒを示し（領域８４の塗りつぶしの色は、危険を表す赤色）で表示する。
【００３１】
次に、“Ｃａｂｌｅ  Ｃｏｎｄｉｔｉｏｎ  ＯＫ”の表示７０３を表示する。ここで、光複合ケーブル１８０が接続されていると判定した場合には“ＯＫ”を表示し、開放ならば“ＯＰＥＮ”を表示し、短絡ならば“ＳＨＯＲＴ”と表示する。
また、“Ｃａｂｌｅ  Ｌｅｎｇｔｈ  １００ｍ”の表示７０４を表示する。この長さの算出は、送信パケットのユーザ領域に測定用のデータを入れ、その送受信により算出する。算出された長さを、例えばメートル表示で“１００ｍ”、例えば、“５０ｍ”と表示する。
また、“ＣＣＵ  ＰＷＲ  ＣＯＮＤ”の表示７０５を表示する。この表示７０５は、ＣＣＵ１６０がトータルで使用しているすべての使用電力を表示している。例えば、ＣＣＵ１６０で５６Ｗ、カメラヘッド１１０で３５Ｗ使用して、上述の“ＵＴＩＬＩＴＹ  ＰＷＲ”の表示７０２で１１１ＶＡ（この実施例では、便宜上１１１Ｗとしている）の総計（５６Ｗ＋３５Ｗ＋１１１Ｗ＝２０２Ｗ）を表示している。
また、“ＧＬ  ＯＮ／ＯＦＦ”の表示７０６を表示する。表示７０６は、ＧＥＮ  ＬＯＣＫがオン状態かオフ状態かを示し、オン状態の場合には、“ＯＮ”と表示し、オフ状態の場合には、“ＯＦＦ”と表示する。
また、“ＧＬ  ＳＯＵＲＣＥ  Ｂ．Ｂ．”の表示７０７を表示する。表示７０７は、ゲンロック（ＧＬ）信号のソースが何に基づいているかを表示し、Ｂ．Ｂ．（Black Burst）からの場合には、“Ｂ．Ｂ．”と表示し、Ｔｒｉ−Ｓｙｎｃからの場合には、“Ｔｒｉ−Ｓｙｎｃ”と表示し、外部同期信号が入力されない若しくは外部同期していない場合には、“Ｎｏｎｅ”と表示する。
【００３２】
以上説明したように、上記本発明の第１の実施例のテレビジョンカメラ装置によれば、ユーティリティ機器の使用電力の余裕度を利用者が目視確認できるため、容易に判断することができる。
【実施例２】
【００３３】
さらに、本発明の第２の実施例を図１〜図５によって説明する。本発明の第２の実施例は、実施例１に加えて、ユーティリティ電源を使用する機器に優先順位を付け、ユーティリティ電源の使用量を監視し、使用量に応じて、機器に供給する電力または機器の機能を制限するように制御可能としたものである。即ち、ユーティリティ電力を有効に使用するために、接続する機器を制御して、接続する機器の機能を制限する。この結果、ユーティリティ電力の残量または使用量に応じて使用電力に制限を加えることができる。
【００３４】
実施例２は、優先順位として、優先順位１番を雲台とし、優先順位２番をリターン出力及びプロンプタ出力としている。
実施例１と同様に、ＣＣＵ１６０は、カメラヘッド１１０に供給している電流を監視している。例えば、ＣＰＵ１３は、映像処理部・制御処理部１４から入力されたデジタル値に基づいて、現状のカメラヘッド１１０及びＣＣＵ１６０の電力使用量、及びユーティリティ電源の電力使用量を検出する。
そして、ＣＰＵ１３は、ユーティリティ電源の使用電力が予め定められた所定の値を超えた（例えば、使用電力が限界電力範囲に入った、若しくは警告電力範囲に入った）場合には、雲台に供給する電力を優先的に供給するために、映像処理部・制御処理部２３を制御して、リターン出力端子１１３に出力する映像の輝度及びプロンプト出力端子１１４に出力するプロンプタの輝度レベルをそれぞれ最低に落とす。
例えば、ＣＰＵ１３は、上記制御信号をＢＢ（Black Burst）信号に重畳させて、映像処理部・制御処理部１４から出力し、ＯＥ・ＥＯ変換部１７、光複合ケーブル接続端子１８６、光複合ケーブル１８０、光複合ケーブル接続端子１８１、及びＯＥ・ＥＯ変換部２２を介して、ＣＰＵ２７に出力する。ＣＰＵ２７は、入力された制御信号に基づいて、映像処理部・制御処理部２３を制御し、映像処理部・制御処理部２３から出力されるリターン出力端子１１３に出力する映像の輝度及びプロンプト出力端子１１４に出力するプロンプタの輝度をそれぞれ最低に落とす。
【００３５】
実施例２によれば、テレビジョンカメラ装置がユーティリティ電源の現在の使用量を検出し、かつ、使用電力が限界電力範囲若しくは警告電力範囲に入った場合には、自動的に、優先順位の低い機器（例えば、リターン出力端子１１３に接続するフロアモニタや、プロンプト出力端子１１４に接続するプロンプタ）に出力する映像信号の輝度レベルを下げる。
この結果、フロアモニタやプロンプタの使用電力が低く抑制され、使用電力が減少するため、ユーティリティ電源のトータルの使用量が抑制でき、ユーティリティ電源が電力オーバーで切断されることがない。従って、テレビジョンカメラ装置の運用に最低限必要な（優先度が高い）機器（例えば、雲台）の機能を停止せずに、効率良くテレビジョンカメラ装置を使用することができる。
なお、自動的に制御した内容を、ＶＦ１２０にテキスト表示するようにしても良い。
【００３６】
なお、実施例１または実施例２において、好ましくは、ＣＰＵ１３は、カメラヘッド１１０の映像処理部・制御処理部２３またはＣＰＵ２７に、音声を出力する制御信号を出力し、カメラヘッド１１０から、音声による警告を出力させるようにしても良い。
この結果、実施例１または実施例２の効果に加え、カメラマンは、音声（聴覚）によっても、使用電力が残り少ないことを知ることができ、テレビジョンカメラ装置の運用に最低限必要な機器の機能を停止せずに、効率良くテレビジョンカメラ装置を操作することができる。
なお、上述の実施例１及び実施例２では、ＣＣＵとカメラヘッド間を、光複合ケーブルで接続したが、光複合ケーブルとＯＥ・ＥＯ変換部との替りに、時分割多重等の信号伝送及び電源供給可能な多芯同軸ケーブルを使用しても良い。
【符号の説明】
【００３７】
３：電源スイッチ（PWR SW）、  ４：トランス、  ５：リレースイッチ（RLY SW）、  ６：カレントトランス、  ７、２１：ＡＣ／ＤＣコンバータ、  ８、２４：ＤＣ／ＤＣコンバータ、  ９：整流回路、  １０：リレーコントローラ（RLY CNT）、  １１：過電流検出回路、  １２：無電流検出回路、  １３、２７：ＣＰＵ（Central Processing Unit）、  １４、２３：映像処理部・制御処理部、  １５：シンクセパレータ、  １６：ＡＤＣ（Analog to Digital Converter）、  １７、２２：ＯＥ（光−電気）・ＥＯ（電気−光）変換部、  ２５：撮像素子ブロック、  ２６：光学レンズ系、  １００：テレビジョンカメラ装置、  １１０：カメラヘッド、  １１１：ユーティリティ電源出力端子、  １１２：ＳＤＩ出力端子、  １１３：リターン出力端子、  １１４：プロンプト出力端子、  １１５：ビューファインダ出力（ＶＦ＿ＯＵＴ）端子、  １１６：制御信号入力端子、  １２０：ビューファインダ（ＶＦ）、  １６０：ＣＣＵ、  １６１：ＡＣ電源入力端子、  １６２：制御信号入力端子、  １６３：リターン入力端子、  １６４：プロンプト入力端子、  １６５：映像出力端子、  １６６：ＧＬ信号入力端子、  １８０：光複合ケーブル、  １８１、１８６：光複合ケーブル接続端子、  ６００：表示、  ６１０、６１１、６１２、６１３：領域、  ６２１、６２２、６２３、６２４、６２５：テキスト表示。
【図１】
0005865674.tif 000002
【図２】
0005865674.tif 000003
【図３】
0005865674.tif 000004
【図４】
0005865674.tif 000005
【図５】
0005865674.tif 000006
【図６】
0005865674.tif 000007
【図７】
0005865674.tif 000008
【図８】
0005865674.tif 000009